(57)【要約】【課題】ＬＥＤランプの形状を多様化し、回路基板に使用する材料を節減し、放熱を向上させ、ランプを容易に交換することができるＬＥＤランプを提供する。【解決手段】ＬＥＤランプは、放熱リング１、透光リング２及びＬＥＤ発光体３を備える。放熱リング１は、リング底部１１、内側部１２及び外側部１３を有する環体である。透光リング２は、放熱リング１の内側部に接続される内縁と、放熱リング１の外側部に接続される外縁とを有する。ＬＥＤ発光体３は、互いに接続して環状に形成された２つ以上の回路基板３１と、回路基板３１のそれぞれに接続された１つ以上のＬＥＤペレット３２と、少なくとも１つの変圧器３４と、接続端子３３とを有し、放熱リング１と透光リング２との間に配置されている。【選択図】図１
0003160808.tif 000002
【実用新案登録請求の範囲】
【請求項１】
放熱リング、透光リング及びＬＥＤ発光体を備えるＬＥＤランプであって、
前記放熱リングは、リング底部、内側部及び外側部を有する環体であり、
前記透光リングは、前記放熱リングの内側部に接続される内縁と、前記放熱リングの外側部に接続される外縁と、を有し、
前記ＬＥＤ発光体は、互いに接続して環状に形成された２つ以上の回路基板と、前記回路基板のそれぞれに接続された１つ以上のＬＥＤペレットと、少なくとも１つの変圧器と、接続端子と、を有し、前記放熱リングと前記透光リングとの間に配置されていることを特徴とするＬＥＤランプ。
【請求項２】
前記放熱リングの前記リング底部は、平面状であり、
前記内側部及び前記外側部は、対称的な円弧状プレートであることを特徴とする請求項１に記載のＬＥＤランプ。
【請求項３】
前記放熱リングは、金属、又は陶土とプラスチックとを合成した材料からなることを特徴とする請求項１に記載のＬＥＤランプ。
【請求項４】
前記透光リングは、断面が半円形状であることを特徴とする請求項１に記載のＬＥＤランプ。
【請求項５】
前記放熱リングの前記リング底部の内面には、前記ＬＥＤ発光体の前記回路基板を固定させる２つ以上の位置決め凸柱が設けられていることを特徴とする請求項１に記載のＬＥＤランプ。
【請求項６】
前記位置決め凸柱には、前記回路基板に貫設した固定部材を螺着させるネジ孔が設けられていることを特徴とする請求項５に記載のＬＥＤランプ。
【請求項７】
前記ＬＥＤ発光体は、互いに接続して環状に形成された３つの回路基板を有し、
前記回路基板のそれぞれには、変圧器が接続され、
前記回路基板のうちの１つには、前記接続端子が内縁に接続されていることを特徴とする請求項１に記載のＬＥＤランプ。
【請求項８】
前記放熱リング、前記透光リング及び前記ＬＥＤ発光体の前記回路基板は円環形状であることを特徴とする請求項１に記載のＬＥＤランプ。
【考案の詳細な説明】
【技術分野】
【０００１】
本考案は、ＬＥＤランプに関し、特に、発光ダイオードを利用したＬＥＤランプの構造に関する。
【背景技術】
【０００２】
従来の照明灯具は、一般に発光体として白熱電球を用いているが、白熱電球は消費電力が大きく、短寿命などの欠点を有するため、エネルギの節減及び二酸化炭素の削減が求められている現代社会の要求に合致しない。そのため、白熱電球は、高輝度の発光ダイオード（ＬＥＤ）により次第に代替されている。
従来、ＬＥＤランプが使用するＬＥＤランプ構造は、長尺状の回路基板上に、多数の封止されたＬＥＤペレットを設置し、長尺状の回路基板をランプ内に溶接したりカシメ固定したりすることにより、ＬＥＤ灯具に取り付ける。ただし、従来のＬＥＤランプは、回路基板の材料が無駄になる虞があった。
例えば、回路基板の材料を切断し、円環状又はその他の環状の回路基板を形成すると、中央部分又は周囲部分の材料が無駄になる虞があった。そのため、材料が無駄になることを防ぐために、長尺状に形成された回路基板上にＬＥＤペレットが配置された態様に限定されていた。
このように、ＬＥＤランプ及び灯具の形状は、円環状又はその他の形状に形成することが困難であった。
従来のＬＥＤランプは、簡便な放熱構造を備えておらず、複雑な放熱フィンによりＬＥＤランプが高価になったり、放熱効果が低下して寿命が短くなる虞があった。そのため、従来のＬＥＤランプは、材料を節減しながら形状を多様化したり、簡便な放熱構造を得たりすることができる解決方法が求められていた。
【０００３】
そのため、形状を多様化し、回路基板に使用する材料を節減し、放熱を向上させ、ランプを容易に交換することができるＬＥＤランプが求められていた。
【考案の概要】
【考案が解決しようとする課題】
【０００４】
本考案の目的は、ＬＥＤランプの形状を多様化し、回路基板に使用する材料を節減し、放熱を向上させ、ランプを容易に交換することができるＬＥＤランプを提供することにある。
【課題を解決するための手段】
【０００５】
上記課題を解決するために、本考案の第１の形態によれば、放熱リング、透光リング及びＬＥＤ発光体を備えるＬＥＤランプであって、前記放熱リングは、リング底部、内側部及び外側部を有する環体であり、前記透光リングは、前記放熱リングの内側部に接続される内縁と、前記放熱リングの外側部に接続される外縁と、を有し、前記ＬＥＤ発光体は、互いに接続して環状に形成された２つ以上の回路基板と、前記回路基板のそれぞれに接続された１つ以上のＬＥＤペレットと、少なくとも１つの変圧器と、接続端子と、を有し、前記放熱リングと前記透光リングとの間に配置されていることを特徴とするＬＥＤランプが提供される。
【０００６】
また、前記放熱リングの前記リング底部は、平面状であり、前記内側部及び前記外側部は、対称的な円弧状プレートであることが好ましい。
【０００７】
また、前記放熱リングは、金属、又は陶土とプラスチックとを合成した材料からなることが好ましい。
【０００８】
また、前記透光リングは、断面が半円形状であることが好ましい。
【０００９】
また、前記放熱リングの前記リング底部の内面には、前記ＬＥＤ発光体の前記回路基板を固定させる２つ以上の位置決め凸柱が設けられていることが好ましい。
【００１０】
また、前記位置決め凸柱には、前記回路基板に貫設した固定部材を螺着させるネジ孔が設けられていることが好ましい。
【００１１】
また、前記ＬＥＤ発光体は、互いに接続して環状に形成された３つの回路基板を有し、前記回路基板のそれぞれには、変圧器が接続され、前記回路基板のうちの１つには、前記接続端子が内縁に接続されていることが好ましい。
【００１２】
また、前記放熱リング、前記透光リング及び前記ＬＥＤ発光体の前記回路基板は円環形状であることが好ましい。
【考案の効果】
【００１３】
本考案のＬＥＤランプは、ＬＥＤランプの形状を多様化し、回路基板に使用する材料を節減し、放熱を向上させ、ランプを容易に交換することができる。
【図面の簡単な説明】
【００１４】
【図１】本考案の一実施形態によるＬＥＤランプを示す分解斜視図である。
【図２】本考案の一実施形態によるＬＥＤランプを組み立てたときの状態を示す斜視図である。
【図３】図２の線Ａ−Ａ’に沿った断面図である。
【図４】図３のａ部分の拡大図である。
【図５】本考案の一実施形態による回路基板を切断するときの状態を示す模式図である。
【考案を実施するための形態】
【００１５】
以下、本考案の実施形態について図に基づいて説明する。なお、これによって本考案が限定されるものではない。
【００１６】
図１及び図２を参照する。図１及び図２に示すように、本考案の一実施形態によるＬＥＤランプは、放熱リング１、透光リング２及びＬＥＤ発光体３を含み、ＬＥＤ灯具４上に取り付けられている。
【００１７】
図１及び図３を参照する。図１及び図３に示すように、放熱リング１は、リング底部１１と、リング底部１１の内縁に接続された内側部１２と、リング底部１１の外縁に接続された外側部１３と、を有する環体である。リング底部１１は、平面状であり、内側部１２及び外側部１３は、互いに対応した対称的な円弧状プレート又はその他の形状のプレート体である。放熱リング１は、熱伝導率が高い金属材料からなる。
【００１８】
図１及び図３を参照する。図１及び図３に示すように、透光リング２は、断面が半円状であり、放熱リング１の内側部１２に接続される内縁と、放熱リング１の外側部１３に接続される外縁とを有する環状の中空管体である。
【００１９】
図１及び図３を参照する。図１及び図３に示すように、ＬＥＤ発光体３は、互いに接続して環状に形成された２つ以上の回路基板３１と、各回路基板３１にそれぞれ接続された１つ以上のＬＥＤペレット３２（本実施形態では、多数のＬＥＤペレットを用いている）と、少なくとも１つの変圧器３４と、接続端子３３と、を含む。ＬＥＤ発光体３は、放熱リング１と透光リング２との間に配置され、透光リング２に向かってＬＥＤペレット３２が照射される。
【００２０】
図１及び図４を参照する。図１及び図４に示すように、本考案の一実施形態によるＬＥＤランプは、放熱リング１のリング底部１１の内面に、ＬＥＤ発光体３の回路基板３１を固定させるために用いる２つ以上の位置決め凸柱１４が設けられている。即ち、回路基板３１に貫設した固定部材３５を、位置決め凸柱１４に設けたネジ孔１５に螺着させて固定する。例えば、固定部材３５はネジなどでもよい。ＬＥＤ発光体３は、互いに接続して環状に形成された３つの回路基板３１を含む。各回路基板３１には、変圧器３４が接続され、回路基板３１のうちの１つの内縁に接続された接続端子３３を利用し、ＬＥＤ灯具４を迅速に組み立てることができる。また、上述の放熱リング１、透光リング２及びＬＥＤ発光体３の回路基板３１は、円環状又はその他の形状の環体である。
【００２１】
図２に示すように、本考案の一実施形態によるＬＥＤランプは、実際には円形状又はその他の形状のＬＥＤ灯具４内に取り付け、ＬＥＤ灯具４の係合部４１を介して固定してから、ＬＥＤ灯具４の電気コネクタ４２にＬＥＤ発光体３の接続端子３３を挿着する。
【００２２】
図５を参照する。図５に示すように、本考案の一実施形態によるＬＥＤ発光体３は、互いに接続された２つ以上の円環状の回路基板３１を有する。回路基板３１は、材料をさらに節減する配列方式を採用し、回路基板の材料を切断してから、円環形状又はその他の形状の環体に組み立てる。これにより、放熱リング１及び透光リング２を円環形状又はその他の形状の環体に形成するため、ＬＥＤランプの形状を多様化させ、回路基板の材料を節減することができる。また、本実施形態の放熱リング１は、熱伝導率の高い金属、又は陶土とプラスチックとを合成した材料からなり、ランプ構造の一部を構成するだけでなく、ＬＥＤの放熱機能を向上させることができる放熱構造を形成する。本実施形態のＬＥＤ発光体３は、ＬＥＤ灯具４の電気コネクタ４２に挿着することが可能な接続端子３３を利用しているため、ＬＥＤ発光体３の使用寿命が尽きた際、容易にユーザ自らがランプを取り外して交換することができる。
【００２３】
本考案は、放熱リング、透光リング及びＬＥＤ発光体を組み合わせた構造により、ＬＥＤランプを円環形状又はその他の形状の環体で構成することにより、ＬＥＤランプの形状を多様化させ、回路基板の材料を節減し、放熱を向上させ、ランプを容易に交換することができる。
【００２４】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２５】
１  放熱リング
２  透光リング
３  ＬＥＤ発光体
４  ＬＥＤ灯具
１１  リング底部
１２  内側部
１３  外側部
１４  位置決め凸柱
１５  ネジ孔
３１  回路基板
３２  ＬＥＤペレット
３３  接続端子
３４  変圧器
３５  固定部材
４１  係合部
４２  電気コネクタ
【図１】
0003160808.tif 000003
【図２】
0003160808.tif 000004
【図３】
0003160808.tif 000005
【図４】
0003160808.tif 000006
【図５】
0003160808.tif 000007